(57)【要約】【課題】本発明は、簡単な構成で容易に且つ短時間で設置出来、広範囲に亘って建物の高所作業が安全に出来る建物の高所作業の安全構造を提供することを可能にすることを目的としている。【解決手段】既設建物Ａの屋上部１に設けられた支持金物６に締結され、或いは該支持金物６間に張設された線状部材２０，２１に締結され、該既設建物Ａの外周に垂下される複数の線状部材２２〜２７，２９の端部に係合されたカラビナ１８に線状部材３０が係合され、該線状部材３０は既設建物Ａの外周に略水平方向に巻回され、調整器１９により絞り込んで締結されたことを特徴とする。【選択図】      図１
2004270305.tif 000002
【特許請求の範囲】
【請求項１】
建物の高所作業の安全構造であって、
建物の所定位置に設けられた支持金物に締結されるか、または該支持金物間に張設された第１線状部材に締結され、該建物の外周に垂下される複数の第２線状部材と、
前記複数の第２線状部材に設けられた係合部に係合させると共に前記建物の外周に略水平方向に巻回される第３線状部材と、
前記第３線状部材を絞り込んで締結する締結部材と、
を有することを特徴とする建物の高所作業の安全構造。
【請求項２】
前記支持金物は、屋上の鉄骨梁の上フランジ上に載置された軽量気泡コンクリートパネル上に該支持金物の底板が載置され、該支持金物の底板、軽量気泡コンクリートパネル及び鉄骨梁の上フランジを貫通する固定部材により該軽量気泡コンクリートパネルを介在して前記支持金物が前記鉄骨梁に固定されたことを特徴とする請求項１に記載の建物の高所作業の安全構造。
【請求項３】
建物の高所作業の安全構造であって、
建物の屋上部または屋根部に掛け渡して該建物の外周に垂下される複数の第１線状部材と、
前記複数の第１線状部材に設けられた係合部に係合させると共に前記建物の外周に略水平方向に巻回される第２線状部材と、
前記第２線状部材を絞り込んで締結する締結部材と、
を有することを特徴とする建物の高所作業の安全構造。
【発明の詳細な説明】
【０００１】
【発明の属する技術分野】
本発明は、建物の高所作業の安全構造に関するものである。
【０００２】
【従来の技術】
従来、既設建物の屋上や庇等の防水シート等の改修工事、点検、清掃等の作業時には手摺や親綱を支持出来る金物が予め設置され、安全帯を使用した安全な作業が可能な場合を除いては建物の外周に足場等を組むなどして作業を行なっている。
【０００３】
しかしながら、作業時毎に大がかりな足場等を組んだりそれを撤去するのは経費や時間がかかる上、既設建物の周囲には植栽が施されていたり、物置やエアコンの室外機等が設置されていたりして足場を組むためのスペースを得ることが困難な場合が多い。また、足場用の部材を搬送する際に外壁等を傷つけないように細心の注意を払う必要があった。
【０００４】
足場を組まないで既設建物の屋根上作業を行うための安全構造としては、屋根の縁にフックで引っ掛けられたロープを屋根の上に張設して支持金物を固定し、該支持金物間に張設した親綱に作業者の安全帯を締結するものがある（例えば、特許文献１参照。）。
【０００５】
また、建物のコンクリート基礎の開口部を利用して端部連結具を締結すると共に、屋根部に間隔保持具を配置して該端部連結具及び間隔保持具によりワイヤロープを張架し、そのワイヤロープに作業者の安全帯を締結するものがある（例えば、特許文献２参照。）。
【０００６】
【特許文献１】
特開２００２−３２７５４０号公報
【特許文献２】
特開２０００−２６５６３４号公報
【０００７】
【発明が解決しようとする課題】
しかしながら、前述の従来例において、特許文献１の技術では、屋根の上でしか作業が出来ず、下階に狭い庇がある建物ではその庇に親綱を張設することが出来ないため狭い庇の上での作業時には別途、足場を組む必要があった。
【０００８】
また、特許文献２の技術では、コンクリート基礎の開口部が有る場所にしかワイヤロープを張設することが出来ず、作業範囲の自由度が得られないという問題があった。また、複雑な構成の端部連結具及び間隔保持具が別途必要となり、それ等の設置作業も面倒であった。また、前記特許文献１と同様に屋根の上でしか作業が出来ず、下階に狭い庇がある建物ではその庇に親綱を張設することが出来ないため狭い庇の上での作業時には別途、足場を組む必要があった。
【０００９】
本発明は前記課題を解決するものであり、その目的とするところは、簡単な構成で容易に且つ短時間で設置出来、広範囲に亘って建物の高所作業が安全に出来る建物の高所作業の安全構造を提供せんとするものである。
【００１０】
【課題を解決するための手段】
前記目的を達成するための本発明に係る建物の高所作業の安全構造は、建物の所定位置に設けられた支持金物に締結されるか、または該支持金物間に張設された第１線状部材に締結され、該建物の外周に垂下される複数の第２線状部材と、前記複数の第２線状部材に設けられた係合部に係合させると共に前記建物の外周に略水平方向に巻回される第３線状部材と、前記第３線状部材を絞り込んで締結する締結部材とを有することを特徴とする。
【００１１】
上記構成によれば、支持金物或いは該支持金物間に張設された第１線状部材に締結された第２線状部材が建物の外周に複数垂下される。そして、その複数の第２線状部材に設けられた係合部に第３線状部材が係合されて建物の外周に略水平方向に巻回され、締結部材によって絞り込んで締結される。その建物の外周に略水平方向に巻回された第３線状部材に作業者の安全帯を締結することで、例えば、下階に狭い庇がある建物でその庇の上での作業も安全に出来る。
【００１２】
また、前記支持金物は、屋上の鉄骨梁の上フランジ上に載置された軽量気泡コンクリートパネル上に該支持金物の底板が載置され、該支持金物の底板、軽量気泡コンクリートパネル及び鉄骨梁の上フランジを貫通する固定部材により該軽量気泡コンクリートパネルを介在して該支持金物を前記鉄骨梁に固定することが出来る。
【００１３】
このような支持金物では、屋上の鉄骨梁の上フランジ上に載置された軽量気泡コンクリートパネルを切り欠くことなく、該軽量気泡コンクリートパネルを介在して支持金物を鉄骨梁に固定することが出来るため軽量気泡コンクリートパネルの保全が出来、騒音や下階への異物の落下等の虞がない。
【００１４】
また、支持金物の底板側からセルフドリルビス等の固定部材により支持金物の底板側から該底板、軽量気泡コンクリートパネル及び鉄骨梁の上フランジを貫通させるだけで容易に固定することが出来る。
【００１５】
また、本発明に係る建物の高所作業の安全構造の他の構成は、建物の屋上部または屋根部に掛け渡して該建物の外周に垂下される複数の第１線状部材と、前記複数の第１線状部材に設けられた係合部に係合させると共に前記建物の外周に略水平方向に巻回される第２線状部材と、前記第２線状部材を絞り込んで締結する締結部材とを有することを特徴とする。
【００１６】
上記構成によれば、第１線状部材が建物の外周に複数垂下される。そして、その複数の第１線状部材に設けられた係合部に第２線状部材が係合されて建物の外周に略水平方向に巻回され、締結部材によって絞り込んで締結される。その建物の外周に略水平方向に巻回された第２線状部材に作業者の安全帯を締結することで、例えば、下階に狭い庇がある建物でその庇の上での作業も安全に出来る。
【００１７】
【発明の実施の形態】
図により本発明に係る建物の高所作業の安全構造の一例として、陸屋根の屋上部を有する２階建ての既設住宅に適用した場合の一実施形態を具体的に説明する。図１は本発明に係る建物の高所作業の安全構造の第１実施形態の施工手順を示す斜視図、図２は支持金物の取付構造を示す断面説明図、図３は建物の屋上に支持金物を取り付ける際の配置構成の一例を示す平面説明図、図４（ａ）〜（ｃ）は建物の屋上に取り付けられる支持金物の一例を示す斜視説明図、図５〜図７は建物の屋上に支持金物を取り付ける様子を示す図、図８は本発明に係る建物の高所作業の安全構造を構成する各部材の構成を示す図である。
【００１８】
先ず、図１〜図８を用いて本発明に係る建物の高所作業の安全構造の第１実施形態の構成について説明する。図１において、平坦な陸屋根の屋上部１を有する２階建ての既設建物Ａの下階に比較的広いベランダ１５と狭い庇（ひさし）１６が設置されており、例えば、庇１６の防水シート等の張替え作業時等に本発明に係る建物の高所作業の安全構造を利用して狭い庇１６の上での作業も安全に出来るものである。
【００１９】
本実施形態の建物の高所作業の安全構造を構築する際には、先ず、図１（ａ）に示すように、既設建物Ａの屋上部１に梯子１７ａを掛けて平坦な陸屋根の屋上部１に昇り、該屋上部１の所定位置に支持金物６を設置する。
【００２０】
図２及び図３に示すように、本実施形態における既設建物Ａの屋上部１は、Ｈ型鋼からなる鉄骨梁２の上フランジ２ａ上に軽量気泡コンクリートパネル（以下、「ＡＬＣパネル」という）３が載置され、その上部に断熱材４が載置され、更にその上部に防水シート５が敷設された構造を有している。
【００２１】
このような既設建物Ａの屋上部１には、設計段階で屋上を使用することを想定していないため手摺もなく、予め支持金物を取り付けて将来のメンテナンス工事に備えておくという配慮がなされていない。しかしながら、防水シート５等の改修及び点検、清掃等を行なう場合に作業時毎に建物の外周に足場等を組むのでは時間やコストがかかるため本実施形態では、図４に示すような支持金物６を既設建物Ａの屋上部１に簡単に後付けするように構成したものである。
【００２２】
建物の設計時には梁伏図と称する鉄骨梁２の配置位置を記した図面が作成されており、この梁伏図を基にして既設建物Ａの屋上部１における鉄骨梁２の配置位置を特定する。
【００２３】
鉄骨梁２の上フランジ２ａの位置は屋上部１の周囲に取り付けられた庇の付け根や屋上部１に降った雨水を受けて排水口に導くために該屋上部１の周囲に設けられた突起部等を起点として容易に特定することが可能である。
【００２４】
そして、それ等の起点と梁伏図に基づいて図３に示すように防水シート５の上から鉄骨梁２の上フランジ２ａの位置を特定して墨出しを行ない、支持金物６の設置位置を決定する。
【００２５】
本実施形態の支持金物６は図４（ａ）に示すように、天端部にネジ孔６ａ１を有する円柱部材６ａの下端部に８箇所に貫通孔６ｂ１が形成された底板６ｂが固定されており、図４（ｂ）に示すように、円柱部材６ａの天端部のネジ孔６ａ１にキャップ部材６ｃを螺合して装着することでネジ孔６ａ１にゴミや雨水が侵入することを防止することが出来る。尚、キャップ部材６ｃの内側にはネジ孔６ａ１に螺合し得るボルト部が設けられている。
【００２６】
また、図４（ｃ）に示すように、円柱部材６ａの天端部のネジ孔６ａ１にＯボルト等の環状部材６ｄを螺合締着して装着することで、図２に示すように、該環状部材６ｄに親綱７を締結し、該親綱７に作業員の安全帯３２を締結することが出来、建物の外周に足場等を組むことなく、屋上部１の防水シート５等の改修及び点検、清掃等の作業も安全に出来る。
【００２７】
次に図５〜図７を用いて本発明に係る屋上支持金物取付方法により既設建物Ａの屋上部１に支持金物６を取り付ける手順について説明する。梁伏図に基づいて図３に示すように防水シート５の上から鉄骨梁２の上フランジ２ａの位置を特定して該上フランジ２ａのセンターを決め、図５（ａ）に示すように、支持金物６を取り付ける位置の防水シート５上に、例えば、３００ｍｍ×４００ｍｍの方形状で墨出し８ａを行なう。ここで、鉄骨梁２の上フランジ２ａの幅は１００ｍｍ、支持金物６の底板６ｂは長さ１９０ｍｍ、幅１００ｍｍとする。
【００２８】
そして、図５（ｂ）に示すように、防水シート５の墨出し８ａをした３辺をカッターナイフ等により切断し、その切断した防水シート５ａを繋がった１辺の方向に巻き上げて断熱材４を露出させる。露出した断熱材４上に更に例えば、２００ｍｍ×３００ｍｍの方形状で墨出し８ｂを行なう。
【００２９】
そして、図５（ｃ）に示すように、断熱材４の墨出し８ｂをした４辺と、そのセンターをカッターナイフ等により切断し、その切断した断熱材４ａを除去してＡＬＣパネル３を露出させる。露出したＡＬＣパネル３上から図６（ａ）に示すように錐（きり）９で孔を開けつつ鉄骨梁２の上フランジ２ａの位置を確認し、支持金物６の底板６ｂの取付位置を決定する。
【００３０】
そして、図６（ｂ）に示すように、鉄骨梁２の上フランジ２ａが対応する位置に支持金物６の底板６ｂを載置し、底板６ｂに形成された所望の貫通孔６ｂ１から固定部材となるセルフドリルビス１０を挿通し、ＡＬＣパネル３及び鉄骨梁２の上フランジ２ａを貫通させて打ち込み固定する。
【００３１】
支持金物６の底板６ｂには左右に４箇所ずつ計８箇所の貫通孔６ｂ１が形成されており、セルフドリルビス１０を固定しようとした箇所で鉄骨梁２の上フランジ２ａに予め孔が空いていたり、別部材が取り付けられていてセルフドリルビス１０が打ち込めないような場合に別の貫通孔６ｂ１を利用してセルフドリルビス１０を鉄骨梁２の上フランジ２ａに打ち込んで固定出来るようになっている。
【００３２】
従って、貫通孔６ｂ１の左右２箇所ずつ計４箇所の貫通孔６ｂ１を利用してセルフドリルビス１０を打ち込めば良く、他の４箇所の貫通孔６ｂ１は予備のために設けられたものである。尚、必要に応じて８箇所全ての貫通孔６ｂ１を利用してセルフドリルビス１０を打ち込んで固定しても良い。
【００３３】
また、本実施形態では底板６ｂに予め貫通孔６ｂ１を形成した場合の一例について説明したが、貫通孔６ｂ１が形成されていない底板６ｂを円柱部材６ａに固定した支持金物６を使用して該底板６ｂの適当な位置からセルフドリルビス１０を打ち込んでＡＬＣパネル３及び鉄骨梁２の上フランジ２ａを貫通させて打ち込み固定することも出来る。
【００３４】
セルフドリルビス１０を打ち込んだ後は、図６（ｃ）に示すように、レンチ１１を用いてセルフドリルビス１０のネジの締め付け状態を確認し、該セルフドリルビス１０が緩い場合にはレンチ１１により締め直す。
【００３５】
次に図７（ａ）に示すように、支持金物６の円柱部材６ａ、底板６ｂ及びセルフドリルビス１０の頭部の形状に合わせて図５（ｃ）で除去した断熱材４ａを切削し、図７（ｂ）に示すように、支持金物６の円柱部材６ａが露出するようにして底板６ｂ及びＡＬＣパネル３上に断熱材４ａを載置して嵌め戻す。
【００３６】
次に図７（ｃ）に示すように、切断して巻き上げた防水シート５ａの支持金物６の円柱部材６ａに対応する部分を円形に切り取ると共にその円形部に連続して切断辺に延長する切り込みを入れ、該円柱部材６ａが露出するようにして断熱材４，４ａ上に防水シート５ａを敷設する。防水シート５ａの３辺と円形部から延長された中央の切断部に防水シート１２を貼着して防水シート５，５ａと防水シート１２とを溶着或いは融着して防水する。
【００３７】
尚、本実施形態では、防水シート５ａの１辺を残して３辺を切断したが、防水シート５ａの４辺を切断して除去した後、前述と同様にして支持金物６を取り付け、断熱材４ａを嵌め戻した後で、除去した防水シート５ａの支持金物６の円柱部材６ａに対応する部分を円形に切り取り、該円柱部材６ａが露出するようにして断熱材４，４ａ上に防水シート５ａを敷設し、防水シート５ａの４辺の切断部に防水シート１２を貼着して防水シート５，５ａと防水シート１２とを溶着或いは融着して防水することでも良い。
【００３８】
図２に示すように、支持金物６の円柱部材６ａにはハット型の防水シート１３が嵌装され、該防水シート１３の鍔部１３ａと防水シート５ａとを溶着或いは融着して防水する。また、防水シート１３の上端部はステンレスバンド１４により締着すると共に防水シート１３と円柱部材６ａとの間をシーリング仕上げをして防水する。
【００３９】
上記構成によれば、既設建物Ａの屋上部１の鉄骨梁２の上フランジ２ａ上に載置されたＡＬＣパネル３を切り欠く作業が必要なく、ＡＬＣパネル３の保全が出来、騒音や下階への異物の落下等の虞がない。
【００４０】
また、セルフドリルビス１０等の固定部材により支持金物６の底板６ｂ側から該底板６ｂ、ＡＬＣパネル３及び鉄骨梁２の上フランジ２ａを貫通させて打ち込むことで該ＡＬＣパネル３を介在して支持金物６を鉄骨梁２に容易に固定することが出来る。
【００４１】
上述のようにして、図１（ａ）に示すように、既設建物Ａの屋上部１の所定位置に２組の支持金物６を設置した後、図８（ａ）に示すように、線状部材本体５１の両端部に環状部５０が設けられた線状部材２０と、線状部材本体５１の一端部に環状部５０が設けられ、且つ他端部に締結部材となる調整器１９が取り付けられた線状部材２１と、図８（ｂ）に示す係合部材となるカラビナ１８とを用意する。
【００４２】
そして、各線状部材２０，２１の環状部５０にカラビナ１８を係合すると共に、そのカラビナ１８を２組の支持金物６の環状部材６ｄに夫々係合し、更に一方の線状部材２０の環状部５０に取り付けたカラビナ１８を、他方の線状部材２１の一端部に取り付けた調整器１９の環状部１９ａに係合し、該調整器１９に取り付けた線状部材２１を引っ張って２組の支持金物６間に線状部材２０，２１を張設する（図１（ａ）参照）。
【００４３】
次に図１（ｂ）に示すように、線状部材本体５１の両端部に環状部５０が設けられた線状部材２２と、線状部材本体５１の一端部に環状部５０が設けられ、且つ他端部に締結部材となる調整器１９が取り付けられた線状部材２３とを用意し、夫々の環状部５０に夫々カラビナ１８を係合し、更に一方の線状部材２２の環状部５０に取り付けたカラビナ１８を、他方の線状部材２３の一端部に取り付けた調整器１９の環状部１９ａに係合し、連結された線状部材２２，２３を２組の支持金物６間に張設した線状部材２０，２１の略中央部に絡めて締結する。
【００４４】
更に線状部材本体５１の両端部に環状部５０が設けられた線状部材２４〜２７を４本用意し、一端部の環状部５０に係合したカラビナ１８を２組の支持金物６の環状部材６ｄに夫々係合して締結する。
【００４５】
更に、線状部材本体５１の両端部に環状部５０が設けられた線状部材２８と、線状部材本体５１の一端部に環状部５０が設けられ、且つ他端部に締結部材となる調整器１９が取り付けられた線状部材２９とを用意し、夫々の環状部５０に夫々カラビナ１８を係合し、更に一方の線状部材２８の環状部５０に取り付けたカラビナ１８を、他方の線状部材２９の一端部に取り付けた調整器１９の環状部１９ａに係合し、連結された線状部材２８，２９の一方のカラビナ１８を支持金物６の環状部材６ｄに係合して締結する。
【００４６】
次に図１（ｃ）に示すように、既設建物Ａの屋上部１の庇１ａの外周長よりも長く、且つ線状部材本体５１の一端部に環状部５０が設けられ、且つ他端部に締結部材となる調整器１９が取り付けられた線状部材３０を用意し、後に既設建物Ａの外周に垂下される複数の線状部材２２〜２７，２９の各端部に設けられた係合部となるカラビナ１８に、後に既設建物Ａの外周に略水平方向に巻回される線状部材３０を係合させ、該線状部材２３の一端部に取り付けられたカラビナ１８を、他端部に取り付けられた調整器１９の環状部１９ａに係合して環状に連結する。
【００４７】
その後、２組の支持金物６間に張設した線状部材２０，２１を親綱として、作業者３１の安全帯３２の端部のフックを係合して高所作業の安全を確保した状態で、図１（ｃ）に示すように、環状に連結された線状部材３０を既設建物Ａの屋上部１の庇１ａの外側に落とし込んで、該線状部材３０に係合された線状部材２２〜２７，２９の一端部を既設建物Ａの外周に夫々垂下する。このとき、線状部材３０を連結する調整器１９が２階のベランダ１５の安全な位置に配置されるように該線状部材３０を落とし込む。
【００４８】
次に作業者３１は梯子１７ａを利用して一旦地上に降り、図１（ｄ）に示すように、２階のベランダ１５に掛けられた梯子１７ｂを利用して２階のベランダ１５に登り、該ベランダ１５の安全な位置で締結部材となる調整器１９に取り付けた線状部材３０を引っ張って該線状部材３０を絞り込んで締結し、該線状部材３０を張設する。
【００４９】
その後、既設建物Ａの外周に略水平方向に巻回して張設した線状部材３０を親綱として、作業者３１の安全帯３２の端部のフックを係合して高所作業の安全を確保した状態で、比較的狭い２階の庇１６上で防水シート１２の張替え作業や点検作業を行うことが出来る。
【００５０】
上記構成において、線状部材３０に重量７５ｋｇの試験体を安全帯３２を介して固定した状態で落下試験を行ったところ、試験体は地上面に落下することなく安全に支持された状態を維持することが出来、各線状部材２０〜３０やそれ等のジョイント部等の破損も無かった。
【００５１】
また、４５坪程度の陸屋根建物の例では従来のように足場を設置するのに４時間程度を要していたが、上記安全構造では約１時間程度で設置することが出来た。
【００５２】
尚、前記実施形態では、図２に示すような支持金物６を適用した場合について説明したが、既設建物Ａに手摺等の他の支持部材が設置されていればその支持部材を利用して各線状部材を係合して同様な安全構造を施すことが出来る。また他の種々の支持部材を増設してその支持部材を利用して各線状部材を係合して同様な安全構造を施すことも出来る。
【００５３】
また、本発明は陸屋根部を有する建物に限らず、傾斜屋根部を有する建物であっても適用出来る。例えば、傾斜屋根の棟部に支持金物を設け、これに前述と同様に線状部材を張設することが出来る。また、新築建物であっても足場撤去後の外装工事の際に支持金物や線状部材を同様に構成して利用することが出来る。
【００５４】
次に図９を用いて本発明に係る建物の高所作業の安全構造の第２実施形態について説明する。図９は本発明に係る建物の高所作業の安全構造の第２実施形態の施工手順を示す斜視図である。尚、前記第１実施形態と同様に構成したものは同一の符号を付して説明を省略する。
【００５５】
本実施形態では、既設建物Ａの屋上部１に支持金物６を取り付けることなく安全構造を構築出来るように構成したものである。本実施形態の建物の高所作業の安全構造を構築する際には、先ず、図９（ａ）〜（ｃ）に示すように、既設建物Ａの屋上部１に梯子１７ａを掛けて平坦な陸屋根の屋上部１に昇り、線状部材本体５１の両端部に環状部５０が設けられた線状部材４０〜４５と、既設建物Ａの屋上部１の庇１ａの外周長よりも長く、且つ線状部材本体５１の一端部に環状部５０が設けられ、且つ他端部に締結部材となる調整器１９が取り付けられた線状部材４６と、図８（ｂ）に示す係合部材となるカラビナ１８とを用意する。
【００５６】
そして、各線状部材４０〜４６の環状部５０にカラビナ１８を係合すると共に、既設建物Ａの屋上部１の長手方向に線状部材４０〜４２を所定間隔で並行に配置し、屋上部１の短手方向に線状部材４３〜４５を所定間隔で並行に配置する（図９（ａ），（ｂ）参照）。
【００５７】
そして、各線状部材４３〜４５をこれと直交する線状部材４０〜４２に絡めて締結し、後に既設建物Ａの外周に垂下される複数の線状部材４０〜４５の各両端部に設けられた係合部となるカラビナ１８に、後に既設建物Ａの外周に略水平方向に巻回される線状部材４６を係合させ、該線状部材４６の一端部に取り付けられたカラビナ１８を、他端部に取り付けられた調整器１９の環状部１９ａに係合して環状に連結する。
【００５８】
その後、作業者３１は安全な位置で、図９（ｃ）に示すように、環状に連結された線状部材４６を既設建物Ａの屋上部１の庇１ａの外側に落とし込んで、該線状部材４６に係合された線状部材４０〜４５の両端部を既設建物Ａの外周に夫々垂下する。このとき、線状部材４０〜４５は既設建物Ａの屋上部１に掛け渡した状態で該既設建物Ａの外周に夫々垂下される。また、線状部材４６を連結する調整器１９が２階のベランダ１５の安全な位置に配置されるように該線状部材４６を落とし込む。
【００５９】
次に作業者３１は梯子１７ａを利用して一旦地上に降り、図９（ｄ）に示すように、２階のベランダ１５に掛けられた梯子１７ｂを利用して２階のベランダ１５に登り、該ベランダ１５の安全な位置で締結部材となる調整器１９に取り付けた線状部材４６を引っ張って該線状部材４６を絞り込んで締結し、該線状部材４６を張設する。
【００６０】
その後、既設建物Ａの外周に略水平方向に巻回して張設した線状部材４６を親綱として、作業者３１の安全帯３２の端部のフックを係合して高所作業の安全を確保した状態で、比較的狭い２階の庇１６上で防水シート１２の張替え作業や点検作業を行うことが出来る。他の構成は前記第１実施形態と同様に構成され、同様な効果を得ることが出来る。
【００６１】
尚、本実施形態では既設建物Ａの屋上部１に掛け渡した状態で該既設建物Ａの外周に夫々垂下される線状部材４０〜４５を作業者３１が屋上部１で絡めて締結する構成としたが、初めからネット（網）状の部材で構成しても良い。
【００６２】
また、本実施形態では平坦な陸屋根の屋上部１を有する既設建物Ａに適用した一例について説明したが、傾斜屋根部を有する既設建物Ａに適用することも出来、その場合には、ネット状の部材の外周端部に設けられた係合部に線状部材４６を係合させ、該線状部材４６の一端部に取り付けられたカラビナ１８を、他端部に取り付けられた調整器１９の環状部１９ａに係合して環状に連結した状態で、傾斜屋根部の一方からロープ等を渡して引き上げ、ネット状の部材を既設建物Ａの傾斜屋根部に掛け渡した状態で該既設建物Ａの外周に夫々垂下させ、線状部材４６を連結する調整器１９が２階のベランダ１５の安全な位置に配置されるように該線状部材４６を落とし込む。
【００６３】
そして、前述と同様に、作業者３１は２階のベランダ１５に掛けられた梯子１７ｂを利用して２階のベランダ１５に登り、該ベランダ１５の安全な位置で締結部材となる調整器１９に取り付けた線状部材４６を引っ張って該線状部材４６を絞り込んで締結し、該線状部材４６を張設することが出来る。また、新築建物であっても足場撤去後の外装工事の際に線状部材を同様に構成して利用することが出来る。
【００６４】
前記各実施形態において、既設建物Ａの出隅コーナー部や樋部等の線状部材３０，４６が干渉する部位には防水シートの余った切端や種々の緩衝材を介在させて養生を施すことが出来る。各線状部材２０〜３０，４０〜４６は既設建物Ａの外壁等の保護を考慮すればロープ等が好ましいが、ワイヤー等でも適用出来る。この場合、既設建物Ａに緩衝材を配置したり、ワイヤーの外周部に緩衝材を嵌装する等して養生を施すことが出来る。
【００６５】
尚、既設建物Ａの外周に略水平方向に巻回される線状部材３０，４６は既設建物Ａの外周に垂下される複数の線状部材２２〜２７，２９，４０〜４５の各環状部５０を係合部として係合することも出来る。
【００６６】
また、前記各実施形態では、２階建ての住宅からなる既設建物Ａに適用した場合の一例について説明したが、２階以上の上層階を有する住宅やオフィスビル或いはマンション等の集合住宅等の既設建物Ａに適用することも出来る。
【００６７】
【発明の効果】
本発明は、上述の如き構成と作用とを有するので、簡単な構成で容易に且つ短時間で設置出来、広範囲に亘って建物の高所作業が安全に出来る建物の高所作業の安全構造を提供することが出来る。
【００６８】
即ち、請求項１に記載の発明によれば、支持金物或いは該支持金物間に張設された第１線状部材に締結された第２線状部材が建物の外周に複数垂下される。そして、その複数の第２線状部材に設けられた係合部に第３線状部材が係合されて建物の外周に略水平方向に巻回され、締結部材によって絞り込んで締結される。その建物の外周に略水平方向に巻回された第３線状部材に作業者の安全帯を締結することで、例えば、下階に狭い庇がある建物でその庇の上での作業も安全に出来る。
【００６９】
また、前記支持金物は、屋上の鉄骨梁の上フランジ上に載置された軽量気泡コンクリートパネル上に該支持金物の底板が載置され、該支持金物の底板、軽量気泡コンクリートパネル及び鉄骨梁の上フランジを貫通する固定部材により該軽量気泡コンクリートパネルを介在して該支持金物を前記鉄骨梁に固定することが出来る。
【００７０】
このような支持金物では、屋上の鉄骨梁の上フランジ上に載置された軽量気泡コンクリートパネルを切り欠くことなく、該軽量気泡コンクリートパネルを介在して支持金物を鉄骨梁に固定することが出来るため軽量気泡コンクリートパネルの保全が出来、騒音や下階への異物の落下等の虞がない。
【００７１】
また、支持金物の底板側からセルフドリルビス等の固定部材により支持金物の底板側から該底板、軽量気泡コンクリートパネル及び鉄骨梁の上フランジを貫通させるだけで容易に固定することが出来る。
【００７２】
また、請求項３に記載の発明によれば、第１線状部材が建物の外周に複数垂下される。そして、その複数の第１線状部材に設けられた係合部に第２線状部材が係合されて建物の外周に略水平方向に巻回され、締結部材によって絞り込んで締結される。その建物の外周に略水平方向に巻回された第２線状部材に作業者の安全帯を締結することで、例えば、下階に狭い庇がある建物でその庇の上での作業も安全に出来る。
【図面の簡単な説明】
【図１】本発明に係る建物の高所作業の安全構造の第１実施形態の施工手順を示す斜視図である。
【図２】支持金物の取付構造を示す断面説明図である。
【図３】建物の屋上に支持金物を取り付ける際の配置構成の一例を示す平面説明図である。
【図４】（ａ）〜（ｃ）は建物の屋上に取り付けられる支持金物の一例を示す斜視説明図である。
【図５】建物の屋上に支持金物を取り付ける様子を示す図である。
【図６】建物の屋上に支持金物を取り付ける様子を示す図である。
【図７】建物の屋上に支持金物を取り付ける様子を示す図である。
【図８】本発明に係る建物の高所作業の安全構造を構成する各部材の構成を示す図である。
【図９】本発明に係る建物の高所作業の安全構造の第２実施形態の施工手順を示す斜視図である。
【符号の説明】
Ａ…既設建物
１…屋上部
１ａ…庇
２…鉄骨梁
２ａ…上フランジ
３…ＡＬＣパネル
４，４ａ…断熱材
５，５ａ…防水シート
６…支持金物
６ａ…円柱部材
６ａ１…ネジ孔
６ｂ…底板
６ｂ１…貫通孔
６ｃ…キャップ部材
６ｄ…環状部材
７…親綱
８ａ，８ｂ…墨出し
９…錐
１０…セルフドリルビス
１１…レンチ
１２…防水シート
１３…ハット型防水シート
１３ａ…鍔部
１４…ステンレスバンド
１５…ベランダ
１６…庇
１７ａ，１７ｂ…梯子
１８…カラビナ
１９…調整器
１９ａ…環状部
２０〜３０…線状部材
３１…作業者
３２…安全帯
４０〜４６…線状部材
５０…環状部
５１…線状部材本体
【図１】
2004270305.tif 000003
【図２】
2004270305.tif 000004
【図３】
2004270305.tif 000005
【図４】
2004270305.tif 000006
【図５】
2004270305.tif 000007
【図６】
2004270305.tif 000008
【図７】
2004270305.tif 000009
【図８】
2004270305.tif 000010
【図９】
2004270305.tif 000011